(57)【要約】移動通信端末機にハードウェアを付け加えて商取引の決済手段として用いようとする技術を開示する。前記移動通信端末機は、自体に決済処理のための非接触式ＩＣチップモジュールを含み、このモジュールを直列インターフェースを介して端末機のマイクロプロセッサにインターフェースさせて、直接読み書きを行う。これにより、カード情報の更新または新規発給および廃棄が可能である。また、複数枚のカードを貯蔵し、そのなかで一つを選択して、オンライン決済またはオフライン決済に用いる。
2006509298.tif 000002
【特許請求の範囲】
【請求項１】
内蔵されたＩＣチップモジュールおよび本体回路部を含む移動通信端末機において、
前記ＩＣチップモジュールは、
カード運営体制およびカード情報を記憶するメモリと、
外部とのデータ送受信を実行するチップインターフェースと、
前記カード運営体制により制御され、前記チップインターフェースを介してカード情報を更新し、取引を処理するチップ制御部と、を含み、
前記本体回路部は、
キーパッドと、
表示部と、
通信部と、
前記通信部を介して情報を受信し、外部インターフェース部を介して前記ＩＣチップモジュールのカード情報を更新するように要請する制御部と、を含むことを特徴とする、移動通信端末機。
【請求項２】
前記チップ制御部は、
前記チップインターフェースを介してカード情報を受信し、前記メモリのカードデータを更新する更新部と、
取引データを処理する取引処理部と、を含み、
前記本体回路部の制御部は、更新されたカード情報を前記通信部を介して受信し、前記外部インターフェースを介して前記ＩＣチップモジュールにカード情報の更新を要請するカード更新部を含むことを特徴とする、請求項１に記載の移動通信端末機。
【請求項３】
前記本体回路部の制御部は、前記通信部を介した取引処理の際、前記キーパッドの操作に応じて、前記外部インターフェースを介して取引処理を要請し、応答されたデータを受信して前記通信部を介して取引を処理する取引処理部をさらに含み、
前記ＩＣチップモジュールの取引処理部は、前記チップインターフェースを介して取引要請情報を受信すると、前記メモリのカード情報をアクセスし前記チップインターフェースを介して出力する通信取引処理部を含むことを特徴とする、請求項２に記載の移動通信端末機。
【請求項４】
前記ＩＣチップモジュールは、外部の取引端末機と無線通信するＲＦ通信部をさらに含み、
前記チップ制御部の取引処理部は、前記ＲＦ通信部から外部からの非接触式取引要請情報を受信し、前記メモリカード情報を読み取り、前記ＲＦ通信部を介して出力して決済を処理する非接触式取引処理部を含むことを特徴とする、請求項２に記載の移動通信端末機。
【請求項５】
前記ＩＣモジュールにおいて、前記メモリは複数のカード情報を記憶し、前記カード更新部は前記メモリの複数のカード情報を個別的にアクセスして各カード情報の更新を処理し、前記取引処理部は、複数のカードのうち、前記チップインターフェースを介して選択されたカードのカード情報を選択して取引を処理することを特徴とする、請求項３または４に記載の移動通信端末機。
【請求項６】
前記ＩＣチップモジュールのメモリがカード接続部を含み、前記チップ制御部の前記取引処理部は、複数枚のカード情報のうち、選択されたカードの情報を前記カード接続部領域に記録することを特徴とする、請求項５に記載の移動通信端末機。
【請求項７】
前記本体回路部の前記通信部は、
基地局との音声通信およびデータ通信を支援する第１通信部と、
アクセスポイントとの近距離無線通信を支援する第２通信部と、を含み
前記取引処理部は、前記第１通信部と前記第２通信部を選択的に接続することを特徴とする、請求項５に記載の移動通信端末機。
【請求項８】
前記第２通信部はブルートゥース通信モジュールであることを特徴とする、請求項７に記載の移動通信端末機。
【請求項９】
前記ＩＣチップモジュールは移動通信端末機のバッテリパックに内蔵されることを特徴とする、請求項１、２または３のいずれかに記載の移動通信端末機。
【請求項１０】
内蔵されたＩＣチップモジュールおよび本体回路部を含む移動通信端末機において、
前記ＩＣチップモジュールは、
カード運営体制およびカード情報を記憶するメモリと、
外部とのデータ送受信を実行するチップインターフェースと、
前記カード運営体制により制御され、前記チップインターフェースを介して取引要請情報を受信すると、前記メモリのカード情報をアクセスし、前記チップインターフェースを介して出力する通信取引処理部を含むチップ制御部と、を含み、
前記本体回路部は、
キーパッドと、
表示部と、
通信部と、
前記通信部を介した取引処理の際、前記キーパッドの操作に応じて、前記外部インターフェースを介して取引処理を要請し、応答されたデータを受信し、前記通信部を介して取引を処理する取引処理部を含む制御部と、を含むことを特徴とする、移動通信端末機。
【請求項１１】
前記ＩＣチップモジュールは、外部の取引端末機と無線通信するＲＦ通信部をさらに含み、
前記チップ制御部の取引処理部は、前記ＲＦ通信部から外部からの非接触式取引要請情報を受信し、前記メモリカード情報を読み取り、前記ＲＦ通信部を介して出力して決済を処理する非接触式取引処理部を含むことを特徴とする、請求項１０に記載の移動通信端末機。
【請求項１２】
前記ＩＣモジュールにおいて、前記メモリは複数のカード情報を記憶し、前記カード更新部は前記メモリの複数のカード情報を個別的にアクセスして各カード情報の更新を処理し、前記取引処理部は、複数のカードのうち、前記チップインターフェースを介して選択されたカードのカード情報を選択して取引を処理することを特徴とする、請求項１０に記載の移動通信端末機。
【請求項１３】
移動通信端末機に着脱可能に連結されるバッテリパック装置において、
カード運営体制およびカード情報を記憶するメモリと、
移動通信端末機本体とのデータ送受信を実行するチップインターフェースと、
外部の取引端末機と無線通信するＲＦ通信部と、
前記ＲＦ通信部から、外部からの非接触式取引要請情報を受信し、前記メモリのカード情報を読み取り、前記ＲＦ通信部を介して出力して決済を処理する非接触式処理部、および前記チップインターフェースを介してカード情報を受信し、前記メモリのカードデータを更新するカード更新部を含み、前記カード運営体制により制御されるチップ制御部と、を含むことを特徴とする、バッテリパック装置。
【請求項１４】
前記チップ制御部は、前記チップインターフェースを介して取引要請情報を受信すると、前記メモリのカード情報をアクセスし、前記チップインターフェースを介して出力する通信取引処理部をさらに含むことを特徴とする、請求項１３に記載のバッテリパック装置。
【請求項１５】
前記ＩＣモジュールにおいて、前記メモリは複数のカード情報を記憶し、前記カード更新部は前記メモリの複数のカード情報を個別的にアクセスして各カード情報の更新を処理し、前記取引処理部は、複数のカードのうち、前記チップインターフェースを介して選択されたカードのカード情報を選択して取引を処理することを特徴とする、請求項１３または１４に記載のバッテリパック装置。
【請求項１６】
前記ＩＣチップモジュールのメモリはカード接続部を含み、前記チップ制御部の前記取引処理部は、複数のカードのうち、選択されたカードの情報を前記カード接続部領域に記録することを特徴とする、請求項１５に記載のバッテリパック装置。
【発明の詳細な説明】
【技術分野】
【０００１】
本発明は移動通信端末機の付加機能に係り、より詳しくは移動通信端末機にハードウェアを付け加えて商取引の決済手段として用いる技術に関するものである。
【背景技術】
【０００２】
移動通信端末機を決済手段として用いようとする技術として、従来フリップ型移動通信端末機において、フリップにＩＣチップを内蔵してバスカードとして用いようとする試みがあった。このアイディアは、カード所持による不便さを解消する利点があるが、カード発給の手続などにおいて多くの制限がある。
【０００３】
ほかの従来の技術は、２００２年３月２８日付けで公開された大韓民国公開特許公報第２００２−２３０９８号に開示されている。この公報は、移動通信端末機にバーコード形態のカードを伝送して貯蔵し、決済端末機のスキャナーでこのカードのデータを読み取り、通常のクレジットカード端末機の処理と類似した照会、承認の処理を行う技術を開示している。この技術は、ソフトウェア的なカードを提案して、カードが更新可能であり、複数のカードを端末機に貯蔵することができる点で、非常に画期的な着想と思われるが、保安面では非常に脆弱な欠点がある。
【特許文献１】大韓民国公開特許公報第２００２−２３０９８号
【発明の開示】
【発明が解決しようとする課題】
【０００４】
したがって、本発明はこのような従来技術の問題点を克服するためになされたもので、その目的は、保安度が高いながらもデータの更新が可能であり、通信網を介してオンライン発給および伝達が可能な決済手段を提供することにある。
【０００５】
本発明のほかの目的は、従来の非接触式クレジットカードと同様な方式により決済端末機で決済処理が可能な移動通信端末機一体型決済手段を提供することにある。
【０００６】
本発明のさらにほかの目的は、保安度が高いながらも複数の決済手段を一つの移動通信端末機で支援することにある。
【課題を解決するための手段】
【０００７】
本発明の一観点によると、前記およびほかの目的は、内蔵されたＩＣチップモジュールおよび本体回路部を含む移動通信端末機において、前記ＩＣチップモジュールは、カード運営体制およびカード情報を記憶するメモリと、外部とのデータ送受信を実行するチップインターフェースと、前記カード運営体制により制御され、前記チップインターフェースを介してカード情報を更新し、取引を処理するチップ制御部と、を含み、前記本体回路部は、キーパッドと、表示部と、通信部と、前記通信部を介して情報を受信し、外部インターフェース部を介して前記ＩＣチップモジュールのカード情報を更新するように要請する制御部と、を含むことを特徴とする、移動通信端末機を提供することにより達成できる。
【０００８】
本発明のこのような観点による決済手段は、通信網を介して決済手段の伝送、決済手段の内容変更が行えるとともに保安度に優れている。
【０００９】
本発明のほかの観点によると、決済手段を提供し、決済情報を処理する内蔵ＩＣチップおよび本体回路部を含む移動通信端末機において、前記ＩＣチップモジュールは、カード運営体制およびカード情報を記憶するメモリと、外部とのデータ送受信を実行するチップインターフェースと、前記カード運営体制により制御され、前記チップインターフェースを介して取引要請情報を受信すると、前記メモリのカード情報をアクセスし、前記チップインターフェースを介して出力する通信取引処理部を含むチップ制御部と、を含み、前記本体回路部は、キーパッドと、表示部と、通信部と、前記通信部を介した取引処理の際、前記キーパッドの操作に応じて、前記外部インターフェースを介して取引処理を要請し、応答されたデータを受信し、前記通信部を介して取引を処理する取引処理部を含む制御部と、を含むことを特徴とする、移動通信端末機が提供される。
【００１０】
本発明のこのような観点による決済手段は、保安度に優れたチップタイプの決済手段でありながらも、通信網を介した取引の簡便な決済が可能である。
【００１１】
好ましくは、前記ＩＣチップモジュールは、外部の取引端末機と無線通信するＲＦ通信部をさらに含み、前記ＲＦ通信部から外部からの非接触式取引要請情報を受信し、前記メモリカード情報を読み取り、前記ＲＦ通信部を介して出力して決済を処理する非接触式取引処理部を含む。
【００１２】
したがって、本発明による移動通信端末機は、通信網を介した決済と非接触式決済を同時に支援することができる。
【００１３】
好ましくは、前記ＩＣモジュールにおいて、前記メモリは複数のカード情報を記憶し、前記カード更新部は前記メモリの複数のカード情報を個別的にアクセスして各カード情報の更新を処理し、前記取引処理部は、複数のカードのうち、前記チップインターフェースを介して選択されたカードのカード情報を選択して取引を処理する。
【００１４】
したがって、本発明による移動通信端末機は、複数の決済手段を一つの移動通信端末機で支援することができる。
【００１５】
好ましくは、前記本体回路部の前記通信部は、基地局との音声通信およびデータ通信を支援する第１通信部と、アクセスポイントとの近距離無線通信を支援する第２通信部と、を含み、前記取引処理部は、前記第１通信部と前記第２通信部を選択的に接続する。
【００１６】
したがって、本発明による移動通信端末機は、基地局を介した移動通信網だけでなくブルートゥース、無線ＬＡＮなど、近距離通信網を介した決済を支援する。
【発明を実施するための最良の形態】
【００１７】
本発明の前記およびほかの目的、特徴および利点は添付図面を参照する以降の詳細な説明からより明らかに理解可能であろう。
【００１８】
以下、本発明の前記およびほかの観点を、添付図面を参照して、好ましい実施例形態に基づいて説明する。以下、当業者が好ましい実施形態により本発明を容易に理解および実現し得るように詳細に説明する。
【００１９】
図１は本発明の一実施形態による移動通信端末機の構造を概略的に示す。好ましい実施形態において、決済はバッテリパックに内蔵されたＩＣチップにより処理される。ＩＣチップ２０は、非接触式決済処理ができるように、ＲＦアンテナ８１０に連結される。また、ＩＣチップ２０は、典型的に含むインターフェース６００、たとえばＲＳ−２３２のような直列通信が移動通信端末機の内部の直列通信に連結できるように、端子６００に連結される。バッテリパックが移動通信端末機本体に着脱されるとき、バッテリパックの端子６００は移動通信端末機本体の対応面に設けられた端子に弾性支持されて接続され、これにより直列通信が可能になる。双方向直列通信のためには、半二重方式の場合、２本のラインでも可能であるので、端子６００は実際には複数の電気的接続点を含む。しかし、本発明は図１に示す実施形態に限定されず、たとえばＩＣチップ２０とアンテナ８１０は移動通信端末機本体の底面またはフォルダ型カバーの前面に内蔵されることもできる。また、非接触式決済を支援しない実施形態の場合は、移動通信端末機のどの部分にも設置可能な程度の小さな面積のみを占める。
【００２０】
図２は本発明の好ましい実施形態による移動通信端末機の全体構成を概略的に示すブロック図である。
【００２１】
好ましい実施形態において、移動通信端末機は、本体回路部１０のほかに、自体にＩＣチップモジュール２０を含む。ＩＣチップモジュールは、一実施形態においてはバッテリパックに内蔵されるが、これに限定されるものではない。
【００２２】
本体回路部１０は、通常の移動通信端末機の回路を含む。図２に示すように、本体回路部１０は、制御部１００と、通信部３００と、外部インターフェース５５０とを含む。また、本体回路部１０は、通常の移動通信端末機に使用される操作部として、表示部５３０およびキーパッド５１０を含む。制御部１００は、移動通信端末機の核心チップに内蔵されたマイクロプロセッサと、このマイクロプロセッサを制御するプログラムコードとを含むものである。
【００２３】
通信部３００は、基地局を介して音声通話およびデータ通信を支援する通常の移動通信を処理する第１通信部３１０を含む。本発明の有利な観点によると、通信部３００は、近距離無線通信を支援する第２通信部３３０をさらに含むことができる。最新の移動通信端末機は、自体にブルートゥース無線通信モジュールを含んでいる。応用プログラムを付け加えることにより、このモジュールの利用が可能になる。ほかの移動通信端末機は赤外線無線通信を支援する。本発明の有利な観点によると、本発明による移動通信端末機は、このような近距離無線通信を用いて、決済端末機と通信して決済処理を行う。
【００２４】
現在の移動通信端末機は、ＲＳ−２３２またはＵＳＢのような直列通信リンクを提供する。外部インターフェース５５０はこのような直列通信リンクとなり得る。ＩＣチップモジュール２０が本質的に支援する直列通信インターフェースであるチップインターフェース６００は、現在はＲＳ−２３２インターフェースであることが知られている。外部インターフェース５５０は本体回路部１０から電線により分岐されてチップインターフェース６００との電気的な接続を維持する。また、図１に示すように、前記外部インターフェース５５０は本体回路部１０に着脱可能に連結されることもできる。
【００２５】
以下、制御部１００の動作を図３ａおよび図３ｂに基づいて詳細に説明する。
【００２６】
ＩＣチップモジュール２０は、チップ制御部２００と、メモリ４００と、チップインターフェース６００とを含み、本発明のさらなる観点によると、ＲＦ通信部８００を含むことができる。ＲＦ通信部８００のアンテナを除くと、これらは一つのパッケージ内に集積されて商業的に提供されている。メモリ４００は、ＥＥＰＲＯＭ、フラッシュメモリなどのように、電気的消去および書込み可能なメモリから具現される。このメモリの読み書きのために、電源回路がさらに必要になることもあり得る。
【００２７】
メモリ４００は、カード運営システム（ＣＯＳ：ｃａｒｄ ｏｐｅｒａｔｉｎｇ ｓｙｓｔｅｍ）が記憶される領域であるＣＯＳ領域４１０と、カード番号および有効期間を含むカード情報を記憶する領域であるカードデータ領域４３０と、保安キーおよび保安処理モジュールを含むカード保安モジュールを記憶する保安モジュール領域４５０と、処理中に発生する一時データ領域４７０とを含む。本発明の一実施形態において、メモリ４００は、カード接続部４９０をさらに含むことができる。現存のカード決済端末機はメモリ４００の特定領域のみをアクセスしてカード情報を読み出すので、メモリ４００は特定領域としてカード接続部４０をさらに含む。
【００２８】
このような本発明のハードウェアの個々の構成は既に知られているものであるので、その詳細な説明は省略する。以下では、本体回路部１０の制御部１００とＩＣチップモジュール２０のチップ制御部２００の制御の流れを詳細に説明する。本体回路部１０の制御部１００は、プログラムコードにより具現された部分を含む。最新の移動通信端末機は、バーチャルマシンに基づく良好な応用プログラム実行環境を提供する。したがって、当業者であれば、以後に説明する詳細な内容から、このようなプログラムを容易に具現することができる。また、ＩＣチップモジュール２０の制御のためのカード運営システムは、プログラムされた後、ＩＣチップモジュール２０の電気的にプログラム可能な不揮発性メモリであるメモリ４００に記録された状態で提供されることが好ましい。
【００２９】
まず、制御部１００は、通常の音声通話またはデータ通信を処理し、全体システムの動作を総括制御する主制御部１１０のほかに、通信部により更新されたカード情報を受信し、前記外部インターフェースを介して前記ＩＣチップモジュールにカード情報更新を要請するカード更新部１５０を含む。
【００３０】
カード更新部１５０は、発給されたカードが通信網を介して伝送されると、認証手続の後、これを外部インターフェース５５０を介して伝送して、カード運営システム４１０の制御下でＩＣチップモジュール２０のメモリ４００のカードデータ領域４３０に記憶されるようにする。そのほかに、ほかのカードが発給されたときにも、同様な処理を行って、ＩＣチップモジュール２０に複数のカード情報が記憶されるようにする。保安モジュール４５０は、カードごとに異なり得るので、これもカード更新部１５０によりカードとともに受信されて伝達されなければならない。
【００３１】
一方、本発明の有利な観点によると、カード更新部１５０は、既に発給されたカードに対してデータを修正することができる。たとえば、メンバーシップカードの場合、会員の等級を調整するか、または各種の恵みの内容に関連した権限データがともに記憶される場合、これを受信し、外部インターフェース５５０を介して伝送し、カード運営システム４１０の制御下でＩＣチップモジュール２０のメモリカード４００のカードデータ領域４３０の内容が変更されるようにする。
【００３２】
また、制御部１００は、前記通信部３００を介した取引処理の際、前記キーパッド５１０からの操作に応じて前記外部インターフェースを介して取引処理を要請し、応答されたデータを受信し前記通信部を介して取引を処理する取引処理部１３０を含む。
【００３３】
たとえば、使用者がＩＲ通信の支援される決済端末機に接近して、決済を要求するボタンを操作すると、取引処理部１３０は主制御部１１０から制御を受け、外部インターフェース５５０を介して暗号化されたカードデータを要求する。カード運営システム４１０は、チップインターフェース６００からこのような要求を受信すると、カードデータ４３０のうち、選択されたまたは予め指定されたカード情報を保安モジュール４５０により暗号化しチップインターフェース６００を介して伝送する。取引処理部１３０は、この暗号化されたカードデータをＩＲ通信部としての第２通信部３３０に伝送する。外部の決済端末機は、このデータを受信して、通常の非接触式カードを読み取った場合と同様に取引を処理する。しかし、本発明はＩＲインターフェースに限定されなく、前述したブルートゥースまたは公知の無線通信にも同様に適用できる。
【００３４】
ほかの例において、使用者が無線インターネットを使用している間にカード決済要求を受けた場合、カード決済ボタンを押すと、応用プログラムが実行され、取引処理部１３０に制御が引き渡される。取引処理部１３０は、ＩＣチップモジュール２０から暗号化されたカード情報を受信し、これをそのままで、または解読した後、当該決済ゲートウェイが要求する保安モジュールに再び暗号化した後、伝送する。これにより、使用者は、無線インターネットの使用時、決済のためにカード番号と有効期間を入力しなければならない不便さを避けることができ、さらに高い保安度の利点を受けることができる。
【００３５】
つぎに、カード運営体制４１０の実行により制御されるＩＣチップモジュール２０のチップ制御部２００について説明する。チップ制御部２００は、ＲＦ通信部８００から、外部からの非接触式取引要請情報を受信し、前記メモリ４００のカード情報を読み取り、ＲＦ通信部８００を介して出力して決済を処理する非接触式取引処理部２２４と、前記チップインターフェース６００を介して取引調整情報を受信すると、前記メモリのカード情報４３０をアクセスし、前記チップインターフェース６００を介して出力する通信取引処理部２２６と、前記チップインターフェース６００を介してカード情報を受信して前記メモリ４００のカードデータを更新するカード更新部２４０とを含む。
【００３６】
現存のＩＣチップカード用決済端末機は、ＩＣチップカードメモリの特定領域のみをアクセスしてカードデータを読み取る。したがって、メモリ４００は特定領域に対応するカード接続部４９０を含む。本実施形態においては、このような現存のカードを中心として説明する。しかし、カード運営システム４１０の補完によりもっと柔軟な通信をなし得るので、本発明はこれに限定されない。
【００３７】
非接触式取引処理部２２４は、移動通信端末機本体で使用者の選択により、チップインターフェース６００を介して本体とカード運営システムが通信することにより指定されたカードのカード情報がカード接続部４９０に記録された状態で処理を開始する。ＲＦ通信部８００に取引要求が受信されると、カード運営システム４１０はこれを検出してカード接続部４９０のデータを読み取りＲＦ通信部８００に出力する。この際、保安モジュール４５０によりカード情報が暗号化されて出力できる。
【００３８】
通信取引処理部２２６は、チップインターフェース６００から取引処理要求を受けると、接続部４９０から指定されたカードデータを読み取り、好ましくは保安モジュール４５０を実行して暗号化してチップインターフェース６００に出力する。
【００３９】
一方、メモリ４００のカードデータ４３０の領域には、複数のカードに対するカード情報が記憶できる。これにより、保安モジュール４５０にも多数種のカードのための複数の保安モジュールが記憶できる。カード更新部２４０は、それぞれのカードに対するカード情報および保安モジュールをチップインターフェース６００を介して更新処理する。カード情報の更新は、新規カードの発給によるカード情報の追加、既存カード情報の削除によるカードの廃棄、および既存カードの情報変動の反映を含む。
【００４０】
図３ａは本発明の好ましい実施形態によるカード発給過程を示す流れ図である。まず、移動通信端末機は、無線データ網を介してカード社のサーバに接続する（ｓ１０１）。その後、カード発給による手続を無線インターネットサイト上で処理する（ｓ１０２）。カード発給手続の処理が終了されると、オンラインでカード情報をダウンロードする（ｓ１０３）。この処理はオンラインカード配送に相当する。
【００４１】
しかし、本発明はこれに限定されなく、カード情報は、オフラインでカード発給手続が終了した後、ショートメッセージサービスなどの形態として端末機に直接伝送され、このメッセージ上の特別なタグにより、カード追加プログラムが実行し始め、使用者の承諾または要求によりそれ以後の手続が進行される。
【００４２】
その後、本体回路部１０の制御部１００のプログラムモジュールのうちでカード更新部１５０は、外部インターフェース５５０を介してＩＣチップモジュール２０にカード追加処理を要求する（ｓ１０４）。これにより、ＩＣチップモジュール２０のチップ制御部２００のカード更新部２４０が呼び出されて活性化されるので、追加処理準備が完了したことを知らせる（ｓ１０５）。この際、取引処理中であるかまたはほかの処理を進行している間であれば、本体回路部１０は待機状態に入る。準備完了状態であれば、本体回路部１０からＩＣチップモジュール２０にカード情報が伝送される（ｓ１０６）。これにより、ＩＣチップモジュール２０のカード更新部２４０は、カード情報をカードデータ４３０に付け加え、必要であれば、保安モジュールも同時にまたは続いてダウンロードして保安モジュール領域４５０に付け加えて管理目録に付け加える（ｓ１０７）。
【００４３】
処理が終了すると、ＩＣチップモジュール２０はこれを本体回路部１０に知らせ（ｓ１０８）、本体回路部１０はカード社のサーバにこれを通報する（ｓ１０９）ことで処理が終了する。
【００４４】
カード情報の更新処理は、既存情報を更新することを除いては、前記処理と非常に類似するので、その詳細な説明は省略する。
【００４５】
図３ｂは本発明の一実施形態によるオンライン決済の処理過程を示す。
【００４６】
使用者が移動通信端末機を用いて有料コンテンツ、たとえばショッピングモールに接続する（ｓ２０１）。利用中に決済が要求されると（ｓ２０２）、使用者は端末機の特定ボタンを押して決済処理を開始する。これにより、本体回路部１０はＩＣチップモジュール２０から記憶されたカード情報を要求する（ｓ２０３）。しかし、この段階は必須的なものではなく、本体回路部はＩＣチップモジュールとの通信なしで予め記憶していたカードの目録を見せることもできる。この場合、カード番号の形態で記憶するよりは、使用者が指定するかまたは認識し得る形態で記憶し、これを識別する部分はＩＣチップモジュールで処理することが保安上有利である。
【００４７】
カード目録が要求されると、ＩＣチップモジュール２０はメモリの特定領域からカード目録を読み取り（ｓ２０４）、これを本体回路部に伝送する（ｓ２０５）。本体回路部はこれを表示部５３０に表示する。使用者が目録上でカーソルを動かすかまたは番号を入力することで一つのカードを選択すると（ｓ２０６）、当該カードに対するカード情報を要求する（ｓ２０７）。これにより、ＩＣチップモジュールは、メモリのカードデータ領域４３０から該当カード情報を読み取り、これを保安モジュール４５０により暗号化して本体回路部１０に伝送する（ｓ２０９）。本体回路部１０は、通信部３００、特に第１通信部３１０を介してこのデータをショッピングモールサーバまたは決済ゲートウェイに伝送する（ｓ２１０）。これにより、ショッピングモールサーバまたは決済ゲートウェイはこの情報をカード社のサーバに照会して承認有無を確認し、決済処理を進行する一般の決済処理を行う（ｓ２１１）。
【００４８】
非接触式カード決済の場合、本体回路部１０の制御なしで、ＩＣチップモジュール２０により単独で実行され、通常のカード運営システムの動作と同一であるので、その説明は省略する。しかし、非接触式カードとして決済処理すべきカードを選択する過程は図３ｂのカード選択過程と類似した方式で処理される。ただし、選択されたカード情報がメモリ４００のカード接続部４９０に複写されて記憶される点に違いがある。
【産業上の利用可能性】
【００４９】
以上詳細に説明したように、本発明は、移動通信端末機に内蔵された決済用ＩＣチップモジュールを直接アクセスすることにより、カード情報の更新またはオンライン決済が可能になり、さらに複数枚のカードを貯蔵することができるとともにＩＣチップ自体の高い保安度の利点を有する作用効果がある。
【００５０】
本発明において、カードは前払、後払いを含むものと解釈されなければならない。本発明は例示の目的で実施形態に基づいて説明されたが、これに限定されなく、特許請求範囲に請求された技術的構成から解釈される技術的思想により把握されなければならない。特許請求範囲は、当業者が前記実施形態から、本発明の範疇からの逸脱なしで、容易に変形し得る可能性を含むようになっている。
【図面の簡単な説明】
【００５１】
【図１】本発明の一実施形態による移動通信端末機の構造を概略的に示す図である。
【図２】本発明の一実施形態による移動通信端末機の全体構造を概略的に示すブロック図である。
【図３ａ】本発明の好ましい実施形態により、カードを発給する過程を示す流れ図である。
【図３ｂ】本発明の一実施形態によるオンライン決済処理の過程を示す流れ図である。
【符号の説明】
【００５２】
１０    本体回路部
２０    ＩＣチップモジュール
４０    カード接続部
１００    制御部
１１０    主制御部
１３０    取引処理部
１５０    カード更新部
２００    チップ制御部
２２０    取引処理部
２２４    非接触式取引処理部
２２６    通信取引処理部
２４０    カード更新部
３００    通信部
３１０    第１通信部
３３０    第２通信部
４００    メモリ
４１０    カード運営システム（ＣＯＳ）領域
４３０    カードデータ領域
４５０    保安モジュール領域
４７０    一時データ領域
４９０    カード接続部
５１０    キーパッド
５３０    表示部
５５０    外部インターフェース
６００    チップインターフェース（端子）
８００    ＲＦ通信部
８１０    ＲＦアンテナ
【図１】
2006509298.tif 000003
【図２】
2006509298.tif 000004
【図３ａ】
2006509298.tif 000005
【図３ｂ】
2006509298.tif 000006
【国際調査報告】
2006509298.tif 000007
2006509298.tif 000008